(57)【要約】【課題】  枠体にペーパーコアなどの芯材を充填すると共に両面には表面材を貼着するドアパネルであって、小さな表面材を複数枚に分割して外観を向上させたドアパネルの提供。【解決手段】  枠体内には概略Ｈ型断面であって両表面部中央に凹部１４を形成した長尺材である補助桟９を設けて小空間１０ａ，１０ｂ・・に仕切られる。そして、各空間１０ａ，１０ｂ・・には表面材３ａ，３ｂ・・を貼着し、表面材３ａ，３ｂ・・は裏面側へ屈曲した縁４を有し、上記補助桟９の凹部底に凸部１５を突出して設けることで両側に溝１６，１６を形成し、表面材３の縁４を該溝１６に嵌入して位置決めしている。【選択図】    図４
2005282175.tif 000002
【特許請求の範囲】
【請求項１】
枠体にペーパーコアなどの芯材を充填すると共に両面には表面材を貼着するドアパネルにおいて、上記枠体内には概略Ｈ型断面であって両表面部中央に凹部を形成した長尺材である補助桟を設けて小空間に仕切り、そして、各空間には表面材を貼着し、表面材は裏面側へ屈曲した縁を有し、上記補助桟の凹部底に凸部を突出して設けることで両側に溝を形成し、表面材の縁を該溝に嵌入したことを特徴とする複数表面材を貼着したドアパネル。
【請求項２】
枠体にペーパーコアなどの芯材を充填すると共に両面には表面材を貼着するドアパネルにおいて、上記枠体内には概略Ｈ型断面であって両表面部中央に凹部を形成した長尺材である補助桟を設けて小空間に仕切り、そして、各空間には表面材を貼着し、表面材は裏面側へ屈曲した縁を有し、上記補助桟の凹部底に凸部を突出して設けることで両側に溝を形成し、表面材の縁を該溝に嵌入し、又枠体の側端側及び上下端側では、縦桟の側面及び上下桟の上下面に縁を当接したことを特徴とする複数表面材を貼着したドアパネル。
【発明の詳細な説明】
【技術分野】
【０００１】
本発明は表面に小さな複数の表面材を貼着することで外観を向上したドアパネルに関するものである。
【背景技術】
【０００２】
一般的なパネルは縦桟と横桟、及び中桟(補強桟)を組合わせて枠組みした枠体にペーパーコアなどの芯材を充填すると共に、両面側には表面材を貼着している。これは間仕切り用のパネルであっても、ドア用パネルであっても同じ構造であるが、寸法的に大きなパネルの場合には、枠体は必然的に大きくて丈夫な構造と成っている。
【０００３】
図７は開きドアの横断面を示しているが、ドアパネル(イ)の一方側端は蝶番(ロ)を介して開閉可能に取付けられている。該ドアパネル(イ)はペーパーコア(ハ)を芯材として両面には金属製の表面材(ニ)、(ニ)が貼着されているが、該表面材(ニ)はドアパネル(イ)の表面全体を被覆する大きさと成っている。上記蝶番(ロ)を介して開閉可能に取付けられる開きドアに限らず、レールに沿ってスライド開閉する引き戸の場合も同じである。
【０００４】
表面材(ニ)は各種色彩が施されるが、全面は同一色であって外観上好ましくない場合が多く、必要に応じてガラスを一部に嵌めることもある。特に大きなドアパネル(イ)ともなれば複数の表面材を貼り合わせて構成するドアパネルの方が好ましい。ローパーティションでは外観上において複数表面材を貼着して構成したものが知られている。
【０００５】
実開平６−２０６２５号に係る「ローパーティションのパネル止着構造」は、フレームに複数枚の小さなパネルを取付けて構成したものである。すなわち、パネルにはその表面材を屈曲してＬ型断面の止着片を上下端に形成し、フレームには概略Ｈ型断面の横桟を設け、該横桟の両側片上端には係止部を形成し、パネル上端の止着片を係止部の係止溝へ係合し、又止着片は係止部にて支えられる。
【０００６】
このように、小さなパネルをフレームに取付けることで、ローパーティションは大きな１枚パネルで構成する場合に比較して外観は向上するが、これと同じ構造を開閉動作が伴うドアパネルに適用することは出来ない。又、水平な横桟に係止して取付ける構造である為に各パネルは上下方向に配列されるに過ぎず、横方向への配列は不可能であると共に、各パネル間の目地を形成することが出来ない。
【０００７】
特開平１１−５０７５６号に係る「大型ドアパネル」は、枠体にペーパーコアを充填してその両面には表面材を貼着した複数枚のパネルを繋ぎ合わせた構造である。すなわち、一方のパネル補強材にボルトを溶接し、他方のパネル枠体には他端部から接合部へ連通するパイプを設け、溶接したボルトにナットを螺合する場合に、パイプを通して締め付けできる構造としている。
【０００８】
この大型ドアパネルは、あくまでも小さなパネルがボルトを介して連結して構成されるものであり、本発明が対象とするドアパネルとは基本構造が違っている。そして、この大型ドアパネルの場合も、上下方向に連結される形態に限られ、横方向への連結形態は出来ない。
【特許文献１】実開平６−２０６２５号に係る「ローパーティションのパネル止着構造」
【特許文献２】特開平１１−５０７５６号に係る「大型ドアパネル」
【発明の開示】
【発明が解決しようとする課題】
【０００９】
このように、従来のドアパネルには上記のごとき問題がある。本発明が解決しようとする課題はこの問題点であり、複数枚の表面材を貼着することが出来ると共に、各表面材との間には一定幅の目地を形成して構成されるドアパネルを提供する。ここで、ドアパネルは開き戸及び引戸の何れの場合も対象とする。
【課題を解決するための手段】
【００１０】
本発明に係るドアパネルは枠体にペーパーコアなどの芯材を充填し、その両面に表面材を貼着して構成している。そして、該表面材は大きな１枚パネルではなく、複数枚の小さなパネルが貼着される。ところで、枠体は両縦桟及び上桟と下桟にて枠組みされ、さらに内部には補助桟が設けられて枠体内は複数の小空間に仕切られる。補助桟の位置は限定されず、貼着される表面材の大きさによって左右され、補助桟の向きは縦方向及び横方向、時には斜め方向とすることも可能である。
【００１１】
補助桟には中央に溝が長手方向に連続して設けられている。そして、貼着されるパネルの外側には縁が裏側へ屈曲して設けられ、該縁は上記補助桟に設けている溝に嵌入する。すなわち、補助桟の溝に各表面材の縁が嵌入して位置決めされると共に接着剤を介して貼着され、上記溝幅は隣合う表面材の両縁が嵌って目地が形成される寸法と成っている。
【発明の効果】
【００１２】
本発明のドアパネルは枠体に複数枚の小さな表面材が貼着して構成される為に、１枚の大きな表面材を貼り合わせた従来のドアパネルに比較して外観意匠は向上する。個々の表面材はその大きさだけでなく、色彩や模様を変えることが出来る為に、ドアパネルの外観パターンを限りなく作ることも可能である。そして、貼着される表面材は補助桟に設けている溝に縁を嵌入して行われる為に、正しく位置決めされる。
【００１３】
上記縁は表面材の裏側へ屈曲して形成される為に、表面に貼着される表面材の縁に触れてもケガをすることはない。又、該縁は補助桟の溝に嵌入すると共に隣り合う表面材との間には一定の目地が形成され、この目地がドアパネルの外観を向上する別の要素となる。
【実施例】
【００１４】
図１は本発明に係るドアパネルの外観を示す実施例である。該ドアパネルは引戸用であり、戸先には持ち手１が取付けられ、上端の両側部には吊車２，２が取着されている。吊車２，２は間口上部に設けている上レールに載ってローラが転動することで、ドアパネルはスライドして間口を開閉することが出来る。
【００１５】
ドアパネルは枠体にペーパーコアを充填し、その両面には表面材３が貼着されている。ただし、上記表面材は５枚で構成され、表面材３ａ，表面材３ｂ，表面材３ｃ，表面材３ｄ，表面材３ｅが両面に貼着されている。これら表面材３ａ，３ｂ・・は接着剤を介して貼着されると共に、桟に設けている溝にて位置決めされる。
【００１６】
図２は表面材３ａを単独で示した場合であり、表面材３ａは長方形の金属板であり、その外側(両側辺、上辺、下辺)には裏側へ屈曲した縁４，４・・を設けている。従って、該表面材３ａを貼着する場合には、四方に設けている縁４，４・・を枠体の補助桟溝に嵌入することで位置決めされる。
【００１７】
図３はドアパネルの枠体５を示している。該枠体５は両縦桟６，６と上桟７、及び下桟８が枠組みされた長方形枠体５の内部に縦方向に配置される補助桟９ａ、横方向に配置される補助桟９ｂ，９ｃを取付けている。従って、枠体５は各補助桟９ａ，９ｂ，９ｃによって仕切られることで、５個の空間１０ａ，１０ｂ，１０ｃ，１０ｄ，１０ｅを形成することが出来る。
【００１８】
そこで、空間１０ａには表面材３ａが貼着され、空間１０ｂには表面材３ｂが貼着され、空間１０ｃには表面材３ｃが貼着され、空間１０ｄには表面材３ｄが貼着され、そして空間１０ｅには表面材３ｅが貼着される。勿論、空間１０ａ，１０ｂ・・にはペーパーコアが芯材として充填される。この枠体５において、穴１１，１１は持ち手１を取付ける為のものであり、又上部コーナーにはロック装置が取付けられる。
【００１９】
図４は図１におけるＡ−Ａ断面拡大図を示している。上記補助桟９は概略Ｈ型断面の押出し長尺材で、両表面部１２，１２は繋ぎ部１３にて連結され、表面部１２の中央には凹部１４を設けている。そして凹部底から凸部１５が突出し、該凸部１５によって凹部１４が仕切られ、凸部両側には溝１６，１６が形成されている。
【００２０】
ところで、表面材３はペーパーコア１７及び補助桟９の表面部１２に当接すると共に接着され、そして縁４は上記溝１６に嵌入することが出来る。縁４が溝１６に嵌入することで、表面材３は位置ズレすることなく正しく貼着され、隣り合う表面材３の縁４が溝１６に嵌入することで間には目地１８が形成される。図５は図１のＢ−Ｂ断面拡大図であり、表面材3の縁４は縦桟６の側面19に当接して貼着される。勿論、縦桟6にも補助桟9の場合と同じく、溝を形成することは自由である。そして、戸先側には戸当りゴムが取付けられる。
【００２１】
上記図３に示した枠体５の空間１０ａ，１０ｂ・・にはペーパーコア１７，１７・・が充填されると共に、各表面材３ａ，３ｂ・・は四方に設けている縁４，４・・が補助桟９ａ，９ｂ・・に設けている溝１６に嵌入して正しく位置決めされた状態で貼着される。図３に示す枠体５から明らかなように、補助桟９ａ，９ｂ・・に形成される凹部１４は縦桟６、上桟７、及び下桟８を貫通して枠体５の側端及び上下端まで延びて形成され、表面材３の四方に設けている縁４，４・・は溝１６，１６・・に嵌ると共に、縦桟６の側面１９、及び上桟７の上面、下桟８の下面に当接して貼着される。
【００２２】
図６はドアパネルの別形態を示している。このように補助桟９を適当な位置に配置することで色々なパターンの表面材３を貼着することが出来、ドアパネルとしての外観が向上する。勿論、単なる外観の向上に止まらず、大きな表面材を切断した切残しを適当なサイズに切断して表面材３として用いることが可能である。そして、補助桟９は表面材３を正しく位置決めする為のものであるが、枠体５の補強材としても機能し、配置される位置が表面材の大きさに応じて変更される。勿論、従来の補強材ではなく、表面材を位置決めする溝が形成されている。
【図面の簡単な説明】
【００２３】
【図１】本発明に係るドアパネルの外観図。
【図２】表面材の具体例。
【図３】枠体の具体例。
【図４】図１のＡ−Ａ断面拡大図。
【図５】図１のＢ−Ｂ断面拡大図。
【図６】ドアパネルの別形態。
【図７】従来のドア構造。
【符号の説明】
【００２４】
１  持ち手
２  吊車
３  表面材
４  縁
５  枠体
６  縦桟
７  上桟
８  下桟
９  補助桟
10  空間
11  穴
12  表面部
13  繋ぎ部
14  凹部
15  凸部
16  溝
17  ペーパーコア
18  目地
19  側面
【図１】
2005282175.tif 000003
【図２】
2005282175.tif 000004
【図３】
2005282175.tif 000005
【図４】
2005282175.tif 000006
【図５】
2005282175.tif 000007
【図６】
2005282175.tif 000008
【図７】
2005282175.tif 000009